(57)【要約】      （修正有）【課題】ベルト式心臓電磁波収集装置を提供する。【解決手段】ベルト式心臓電磁波収集装置１００は、ベルト状の基体及び基体上に配置され、防水性及び導電性を有する電磁波収集部１６０を含み、ベルト式心臓電磁波収集装置１００が人体の胸部分を囲むように取り付けた後、電磁波収集部１６０を心臓に合わせることにより、心臓から発した電磁波シグナルを計測することができる。蒸着技術を採用することにより、電気抵抗率が小さい金属イオンを前記装置の上に蒸着することができ、また、伸縮性材料を使用することにより、該装置が皮膚により密着することができ、収集されたデータもより正確である。樹脂パッド１５０を追加することにより、ベルト式心臓電磁波収集装置１００全体の強度及び剛度を確保することができ、データを収集する際の変形を防止することができる。【選択図】図１
0003201001.tif 000002
【実用新案登録請求の範囲】
【請求項１】
ベルト状の基体及び基体上に配置され、防水性及び導電性を有する電磁波収集部を含み、人体の胸部分を囲むように取り付けた後、前記電磁波収集部を心臓部位に合わせることにより、心臓から発した電磁波シグナルを計測することを特徴とするベルト式心臓電磁波収集装置。
【請求項２】
前記ベルト状の基体は、
弾性を有しており、且つ第一端部に連結部を設けるベルト状の第一部分と、第一端部と第一部分の第二端部とが固定して連結されるベルト状の第二部分とを含み、且つ、前記第二部分の第二端部と第一部分の第二端部とは係合可能であり、前記第二部分は、
伸縮性材料で作成された第一層と、伸縮性材料で作成され且つ第一層と重なっている第二層とを含み、
前記電磁波収集部は、前記第二層の上に配置されること、
を特徴とする請求項１に記載のベルト式心臓電磁波収集装置。
【請求項３】
前記電磁波収集部は、別れた正極及び負極を含むことを特徴とする請求項１に記載のベルト式心臓電磁波収集装置。
【請求項４】
前記正極及び負極は、気相蒸着法により前記第一層の上に蒸着される金属イオンであることを特徴とする請求項３に記載のベルト式心臓電磁波収集装置。
【請求項５】
前記ベルト式心臓電磁波収集装置は、更に前記の第二層の上にパッドを含むことを特徴とする請求項２に記載のベルト式心臓電磁波収集装置。
【請求項６】
前記パッドが、樹脂で作成されることを特徴とする請求項５に記載のベルト式心臓電磁波収集装置。
【請求項７】
前記パッドの上に酸化亜鉛ナノベルトを設けることにより、呼吸の変動幅を連続的に計測することを特徴とする請求項５に記載のベルト式心臓電磁波収集装置。
【請求項８】
前記ベルト式心臓電磁波収集装置は、前記第一部分の上に、更に固定バックルを含むことを特徴とする請求項２に記載のベルト式心臓電磁波収集装置。
【請求項９】
前記ベルト式心臓電磁波収集装置の電磁波収集部の間に、更に伸縮性材料で作成された隔離層を含むことを特徴とする請求項２に記載のベルト式心臓電磁波収集装置。
【請求項１０】
前記パッドは、螺子により前記ベルト式心臓電磁波収集装置の上に固定されることを特徴とする請求項５に記載のベルト式心臓電磁波収集装置。
【考案の詳細な説明】
【技術分野】
【０００１】
本考案は、心臓検査分野に関しており、具体的には、本考案は、心臓電磁波を正確に収集することができるベルト式の心臓電磁波収集装置に関する。
【背景技術】
【０００２】
現代社会の高速発展により、環境と健康との問題はますます人々の注目を浴びている。工業の急速な成長及び社会の進歩により、人類の生活に不可避な環境、食物及び水源は、各種汚染源により汚染されている。それに加え、ますます増加する社会的ストレスにより、多くの成人は長期的に半健康（subhealthy）な状態に置かれている。また、現在、飲食習慣の変化により、中年及び高齢者の心臓病にかかるリスクが急激に増加し、簡単で且つ正確に心臓の電磁波を計測できる機器が求められている。
【０００３】
例えば、米国特許ＵＳ６４７７３９７により、生物体の生物シグナルを計測可能な電極構造が開示され、該電極構造は身体上の接触面に置かれる。該接触面は多くの凸部により上平面を形成し、また多くの凹部により下平面を形成し、該上平面の頂点と下平面は波面を形成する。該考案は、接触面を凹凸構造に設計することにより、人体の心臓部位に接触した後、プローブ波により心臓の生理的データを計測する。該考案により、簡単に人体の心臓データを計測する問題は解決されているが、運動時の人体の汗を吸収してすっかり濡れている収集機器は、製品の短路あるいは作動不可の結果を及ぼす。更に、該電極構造は複雑であるため、製作コストの上昇に繋がり、大規模な拡販には向いていない。
【０００４】
その他、病院でよく使われる三点式の心臓電磁波収集機器は、体に固定することはできず、また配線も多いため、使用者に不便を感じさせる。そのため、病院内或いはベッド上でのみ使用され、その収集結果の正確性及び真実性もかなり劣っている。
【０００５】
従って、これらの先行技術を基に、構造が簡単であり、防水性及び導電性も有しながら、更にコストも低く且つシグナルを正確に収集できる心臓電磁波収集装置を作成し、大衆の消費を促進するために、これらの先行技術を改良する必要がある。
【考案の概要】
【０００６】
本考案の一つの実施形態において、その目的は上記のような先行技術の固有の問題及び運動時の汗により濡れた収集機器の短路及び作動不可の問題を回避することであり、構造が比較的簡単で、コストも低く、収集されたデータが正確で且つ操作も簡単な心臓電磁波収集装置を提供することである。
【０００７】
上述の目的を実現するために、本考案の一つの実施形態においては、
ベルト状の基体及び基体上に配置され、防水性及び導電性を有する電磁波収集部を含み、人体の胸部分を囲むように取り付けた後、前記電磁波収集部を心臓部位に合わせることにより、心臓から発した電磁波シグナルを計測することを特徴とするベルト式心臓電磁波収集装置を採用する。
【０００８】
また、本考案のベルト式心臓電磁波収集装置は、
弾性を有しており、且つ第一端部に連結部を設けるベルト状の第一部分と、第一端部と第一部分の第二端部とが固定して連結されるベルト状の第二部分とを含み、且つ、前記第二部分の第二端部と第一部分の第二端部とは係合可能であり、前記第二部分は、
伸縮性材料で作成された第一層と、伸縮性材料で作成され且つ第一層と重なっている第二層とを含み、
前記電磁波収集部は、前記第二層の上に配置されること、
を含む。
【０００９】
本考案のベルト式心臓電磁波収集装置の一つの実施形態において、前記電磁波収集部は、正極及び負極を含む。
【００１０】
本考案のベルト式心臓電磁波収集装置の一つの実施形態において、前記電磁波収集部を、一つ、二つ、三つ或いは四つ設ける。
【００１１】
本考案のベルト式心臓電磁波収集装置の一つの実施形態において、前記電極は、気相蒸着法により前記第一層の上に蒸着される金属イオンである。
【００１２】
本考案のベルト式心臓電磁波収集装置の一つの実施形態において、前記金属は、金、銀或いは銅を含む。
【００１３】
本考案のベルト式心臓電磁波収集装置の一つの実施形態において、前記ベルト式心臓電磁波収集装置は、前記第二層の上に、更にパッドを設ける。
【００１４】
本考案のベルト式心臓電磁波収集装置の一つの実施形態において、前記パッドは、樹脂により作成され、前記パッドの上に、連続的に呼吸の変動幅を計測するのために酸化亜鉛ナノベルトを設けることが好ましい。
【００１５】
本考案のベルト式心臓電磁波収集装置の一つの実施形態において、前記ベルト式心臓電磁波収集装置は、更に第一部分の上に固定バックルを含む。
【００１６】
本考案のベルト式心臓電磁波収集装置の一つの実施形態において、前記ベルト式心臓電磁波収集装置の電磁波収集部の間は、更に伸縮性材料で作成された隔離層を含む。
【００１７】
本考案のベルト式心臓電磁波収集装置の一つの実施形態において、前記伸縮性材料は、高分子材料である。
【００１８】
本考案のベルト式心臓電磁波収集装置の一つの実施形態において、前記パッドは、螺子により前記ベルト式心臓電磁波収集装置の上に固定される。
【００１９】
本考案は蒸着技術を採用しているため、電気抵抗率の小さい金属イオンを前記装置の上に蒸着させ、また、伸縮性材料の使用により、該装置を皮膚に密着させることができ、収集されたデータの正確性がより向上する。
【００２０】
装置に追加された樹脂パッドは、ベルト式心臓電磁波収集装置全体の強度及び剛度を確保することができ、データ収集時の変形を防止する。
【００２１】
本考案のベルト式心臓電磁波収集装置は、操作過程が簡単で、収集されたデータの正確性も高く、大規模な拡販に有利である。
【図面の簡単な説明】
【００２２】
より明確に本考案の具体的な構造を説明するために、以下、本考案の図面を参照して詳細に説明する。
【図１】本考案のベルト式心臓電磁波収集装置の一つの実施形態の分解図である。
【図２】本考案のベルト式心臓電磁波収集装置の一つの実施形態の全体構造図である。
【考案を実施するための形態】
【００２３】
以下は、図面及び具体的な実施例を参照しながら、本考案について詳細に説明する。本明細書では、本考案の例示的実施例及び説明は、本考案を解釈するものであって、本考案を限定するものではない。
【００２４】
図１乃及び図２で示すとおり、本考案のベルト式心臓電磁波収集装置１００は、ベルト状の基体及び該基体上に設けられた防水性及び導電性を有する電磁波収集部１６０を設けることにより、上記ベルト式心臓電磁波収集装置を人体の胸部に囲むように取り付けた後、上記の電磁波収集部を心臓部位に合わせることにより、心臓から発した電磁波シグナルを計測する。
【００２５】
上記の基体は、弾性を有するベルト状の第一部分１２０を含む。該第一部分１２０は、第一端部１２３及び第二端部１２１並びに第一部分１２０全体の長さを調節する素子１２２を含む。該素子１２２を調節することにより、第一部分１２０全体の長さを任意調節することができ、異なる体型の人に対応することができる。その中で、上記第一端部１２３は、連結部を含む。
【００２６】
該ベルト式心臓電磁波収集装置１００は、更に、ベルト状の第二部分を含む。上記第一端部１２３と第一部分１２０の第二端部１２１とは固定することにより連結され、且つ第二部分の第二端部と第一部分１２０の第二端部１２１とは係合し、環状のベルトを形成する。その中で、上記の第二部分は、伸縮性材料で作成された第一層１１０を含み、更に伸縮性材料で作成された第二層１３０及び１４０を含み、第一層１１０と重なっている。上記の伸縮性材料は、伸縮性高分子材料であることが好ましい。
【００２７】
また、該ベルト式心臓電磁波収集装置１００は、さらに電磁波収集部１６０を含み、上記第二層１３０及び１４０の上に設けられ、心臓部位と密着しながら心臓から発するシグナルを収集する。
【００２８】
一つの実施形態において、上記電磁波収集部１６０は分かれている二つの電極を有し、一つは正極で、もう一つは負極である。上記の電極は、金属イオンの電極、例えば、金イオン、銀イオン或いは銅イオン、またはそれらの組み合わせであることが好ましい。
【００２９】
上記の電磁波収集部１６０は、一つ、二つ、三つ或いは四つ設置することができ、それは実際の使用により決められる。通常、二つの電磁波収集部１６０を設置することが合理的であるが、肥満型の人に対しては、三つの電磁波収集部１６０を設置することが、人体の心臓シグナルを正確に計測する観点から合理的である。
【００３０】
上記電極の金属イオンは、気相蒸着法により上記の第二層１３０及び１４０に蒸着される。気相蒸着法により得られたイオン電極は、電気抵抗率は小さいため、収集したデータの正確性がより高い。他の実施形態においては、上記気相蒸着は、物理気相蒸着により金属イオンを、第二層１３０及び１４０にそれぞれしっかりと固定することができる。
【００３１】
上記第一層１１０と第二層１３０及び１４０とは固定されており、具体的に、上記第一層１１０の上に孔１１１及び１１２を設け、また、上記第二層１３０及び１４０の上にもそれぞれ孔を設け、螺子１０１及び１０２により上記の二つの層を結合する。
【００３２】
収集電極全体の剛度及び強度を確保するため、上記第二層の上にパッド１５０を設けることが好ましい。具体的には、上記パッドの上に孔１５１及び１５２を開け、螺子１０３及び１０４により上記パッド１５０を上記の第二層１３０及び１４０の上に固定する。一つの実施形態において、上記パッド１５０は樹脂で作成され、例えば、ポリエチレン、ポリプロピレン、ポリカーボネート或いはＡＢＳを用いる。
【００３３】
図１に示すように、上記パッド１５０の上に、酸化亜鉛ナノベルト１５３を設け、該酸化亜鉛ナノベルト１５３を上記パッド１５０に植え込み、連続的な呼吸の変動幅を計測することができる。酸化亜鉛ナノベルト１５３自体が弾性を有するため、比較的小さな拡張変化にもうまく反応することができる。そのため、運動時或いは運動後の人体の呼吸時の肺部の変化状況を計測することも可能となり、装置全体の計測精度が向上した。
【００３４】
更に、上記電磁波収集部１６０の間に隔離層１７０を設けることにより、両電極の間に適当な距離を置くことができ、データ収集の正確性を確保し、ベルト式心臓電磁波収集装置１００の全体的な美観をより向上した。
【００３５】
使用に際し、本考案のベルト式心臓電磁波収集装置１００の電極１６０を人体の心臓部位に合わせ、両端を係合しながら締付度を調節し、且つ、電極１６０が心臓部位に合わせられた状態を維持させる。調整した後、連続的な深呼吸により伸縮性材料の伸張及び収縮させながら、シグナル送受信装置と他の適宜配置された部品とを組み合わせることにより、心臓から発した電磁波シグナルを正確に収集することができる。
【００３６】
本考案の他の側面によれば、本考案は、更にベルト式心臓電磁波収集装置の製造方法を提供し、該方法は、
適切な材料によりベルト状の基体と防水性及び導電性を有する電磁波収集部とを作成し、
上記電磁波収集部を上記基体上に設置すること、
を含む。
【００３７】
一つの実施形態において、上記材料は繊維状の布、高分子材料或いは革を含む。
【００３８】
更に、上記の防水性及び導電性を有する電磁波収集部の製造方法は、
適切な材料を選び、シート状の下地層を作成し、
シート状の下地層の上に物理気相蒸着技術により、金属イオンをシート状の下地層の上に完全に蒸着し、その中で、上記のシート状の下地層の上に物理気相蒸着を行った後、水分子は依然として自由に透過することができ、シート状の下地層が汗が出た後の検査にも適用できるようにし、
シート状の下地層の任意の表面上が完全に一層の薄膜により覆われるようにし、
上記薄膜とシート状の下地層とが完全に融合した一体の合成材料を作成することにより行われる。
【００３９】
その中で、一つの実施形態においては、高調波溶接技術により上記薄膜とシート状の下地層を、完全に融合した一体の合成材料を作成した。例えば、市販のＴＭ−００１型の立式シングルグルースロットメッシュベルト積層機（single glue slot mesh belt adhesive layer machine）をを用いて、高分子薄膜とシート状の下地層とを完全に融合した一体の合成材料を作成する。
【００４０】
基体の必要により、作成した上記合成材料を適切な大きさに切断し、上記の基体上に固定する。上記切断は、レーザカット或いはホットカット方式により行われ、例えば、市販のＪＹ−ＳＬ系列のレーザカット機を用い上記の基体に対し切断を行う。
【００４１】
一つの実施形態において、上記薄膜は、高分子ポリマーにより作成される。他の実施形態においては、上記の材料は、繊維状の布、高分子材料或いは革を含む。
【００４２】
一つの実施形態において、上記基体を繊維材料により作成し、上記基体を第一部分及び第二部分の二つの部分に分ける。上記第一部分をベルト状に作成し、伸縮性材料により上記の第二部分を作成する。例えば、伸縮性材料を用い、より優れた弾性を有する基体部分を作成する。
【００４３】
他の実施形態においては、上記の電磁波収集部を、上記の第二部分の上に設ける。留め具（例えばボタン）により上記両者を固定することが好ましい。
【００４４】
また、電磁波収集の効果を向上させるために、硬質の部品（例えば樹脂の塊）を上記第二部分と電磁波収集部との間に設置し、計測の効果を向上する。
【００４５】
本考案のベルト式心臓電磁波収集装置の計測効果を検証するために、以下のような対比測定試験を行った。
【００４６】
２０〜４５歳の健康な成人を選び（５〜８人の計測結果を選び、その平均値を取る）、同様な計測条件下において、ベルト式心臓電磁波収集装置を用い、（１）ベルト式心臓電磁波収集装置に伸縮性材料を追加していない場合、及び（２）ベルト式心臓電磁波収集装置の一部にのみ伸縮性材料を追加し、他の一部には伸縮性材料を追加していない場合において、当業者により周知の計測方法を用いて、上記（１）の装置から得られた計測結果の平均値は、それぞれ、
装置の第一部分の結果：１４．４６ｍｍＨｇ、及び
装置の第二部分の結果：１４．２７ｍｍＨｇ、
であるが、上記（２）の装置から得られた計測結果の平均値は、それぞれ、
装置の第一部分の結果（伸縮性材料を追加していない）：１２．５３ｍｍＨｇ、及び
装置の第二部分の結果（伸縮性材料を追加している）：１６．７９ｍｍＨｇ、
であった。
【００４７】
人間により計測を行う目的は、人は呼吸時、胸部分の波幅の大きさ及び胸部分の形態の不規則により出る影響を証明するためである。
【００４８】
上記の結果から分かるように、伸縮性材料を追加していない場合、ベルト式心臓電磁波収集装置の上下両部分から収集されたシグナルの結果は大抵同じであるが、ベルト式心臓電磁波収集装置の一部にのみ伸縮性材料を追加し、他の一部には伸縮性材料を追加していない場合、伸縮性材料を追加した一面から計測して得られた結果は、伸縮性材料を追加していない一面から測定して得られた結果より４ｍｍＨｇ程度大きかった。明らかに、本考案のベルト式心臓電磁波収集装置の計測結果は、通常の収集装置に比べ顕著に改善された。通常の場合、例え弾性のベルトのみで胸を引き締めたとしても導電材料が胸に密着することはできないため、心電から収集したデータに安定性がなかった。今回の計測により、伸縮性材料を追加により収集したデータの精度の向上が証明された。
【００４９】
本考案は、蒸着技術を採用したため、電気抵抗率の小さい金属イオンを上記の装置に蒸着することができ、また、伸縮性材料を用いることにより、該装置を皮膚に密着させることができ、収集されたデータはより正確になった。更に、人が運動した後に汗が出た場合でも、本考案の製品の電磁波収集部は依然と使用することができ、短路及び通電しない状況が発生することなく、本考案の製品の適用範囲を大幅に広げた。
【００５０】
以上により、本考案の実施形態により提供される技術案に対し詳細に説明した。本文中において、具体例を用いながら本考案について詳細に解釈及び説明しているが、以上の実施形態の説明は本考案の原理及び構造に対する理解を助けるためにのみ適用する。また、当業者にとっては、本考案の技術案並びにその趣旨及び原理に基づいて、他の改変及び／或いは改変体を作成することもできる。全ての改変及び／或いは改変体は本考案の保護範囲内にあることと理解されるべきである。
【図１】
0003201001.tif 000003
【図２】
0003201001.tif 000004